(57)【要約】【課題】  オートフォーカスを考慮した露出制御を行うデジタルカメラを提供する。【解決手段】  デジタルカメラは、光学系のオートフォーカス制御を行うフォーカス制御手段と、撮影待機状態において撮像手段により取得される画像データから被写体の明るさを求める測光手段と、被写体の明るさに基づいて光学系の絞り値を設定する絞り値設定手段とを備える。また、被写体の明るさが所定の基準値よりも高い場合、フォーカス制御手段がオートフォーカス制御を行った後、絞り値設定手段は光学系の絞り値を、オートフォーカス制御を行う際における値よりも大きな値に設定し、測光手段は被写体の明るさを求める。【選択図】図１２
2005037963.tif 000002
【特許請求の範囲】
【請求項１】
光学系を介して被写体の画像データを取得する撮像手段を有するデジタルカメラであって、
前記撮像手段により取得される画像データ中の所定の合焦対象領域が合焦状態となるように前記光学系を駆動させるオートフォーカス制御を行うフォーカス制御手段と、
撮影待機状態において前記撮像手段により取得される画像データ中の前記合焦対象領域を最大比重領域として、該画像データからフォーカス用露出制御値を導出するフォーカス用露出演算手段と、
前記フォーカス制御手段がオートフォーカス制御を行う際に、前記フォーカス用露出制御値を用いて前記撮像手段の露出制御を行う露出制御手段と、
を備えることを特徴とするデジタルカメラ。
【請求項２】
請求項１に記載のデジタルカメラにおいて、
撮影待機状態において前記撮像手段により取得される画像データから、記録用画像データを取得する際に前記露出制御手段が用いる記録用露出制御値を導出する記録用露出演算手段と、
前記フォーカス用露出制御値および前記記録用露出制御値の双方を保持する記憶手段と、
をさらに備えることを特徴とするデジタルカメラ。
【請求項３】
光学系を介して被写体の画像データを取得する撮像手段を有するデジタルカメラであって、
前記光学系のオートフォーカス制御を行うフォーカス制御手段と、
撮影待機状態において前記撮像手段により取得される画像データから前記被写体の明るさを求める測光手段と、
前記被写体の明るさに基づいて、前記光学系の絞り値を設定する絞り値設定手段と、
を備え、
前記被写体の明るさが所定の基準値よりも高い場合、
前記フォーカス制御手段がオートフォーカス制御を行った後、
前記絞り値設定手段は前記光学系の絞り値を、オートフォーカス制御を行う際における値よりも大きな値に設定し、
前記測光手段は前記被写体の明るさを求めることを特徴とするデジタルカメラ。
【請求項４】
光学系を介して被写体の画像データを取得する撮像手段を有するデジタルカメラであって、
前記撮像手段により取得される画像データが合焦状態となるように前記光学系の駆動を行うオートフォーカス制御と、操作入力に基づいて前記光学系の駆動を行うマニュアルフォーカス制御との間でフォーカス制御手法を切り替え可能なフォーカス制御手段と、
前記撮像手段により取得される画像データから、前記被写体の明るさを求める測光手段と、
前記被写体の明るさに基づいて、前記光学系の絞り値を設定する絞り値設定手段と、
を備え、
前記被写体の明るさが所定の基準値よりも高い場合、
前記絞り値設定手段は、前記フォーカス制御手段のフォーカス制御手法がオートフォーカス制御のときと、マニュアルフォーカス制御のときとで、前記光学系の絞り値を相違させて設定することを特徴とするデジタルカメラ。
【請求項５】
光学系を介して被写体の画像データを取得する撮像手段の露出制御を行う露出制御装置であって、
撮影待機状態において前記撮像手段により取得される画像データ中の、前記光学系のオートフォーカス制御を行うフォーカス制御手段が合焦評価に用いる合焦対象領域を最大比重領域として、該画像データからフォーカス用露出制御値を導出するフォーカス用露出演算手段、
を備え、
前記フォーカス制御手段がオートフォーカス制御を行う際に、前記フォーカス用露出制御値を用いて前記撮像手段の露出制御を行うことを特徴とする露出制御装置。
【発明の詳細な説明】
【技術分野】
【０００１】
本発明は、撮像における露出制御を行う技術に関する。
【背景技術】
【０００２】
従来より、ＣＣＤ等の撮像素子を用いて画像データを取得するデジタルカメラにおいては、撮影待機状態において取得される画像データ中の明るさに基づいてシャッタースピードや絞り値などの露出制御値を求め露出制御を行うようになっている。
【０００３】
また、デジタルカメラが自動的な光学系のフォーカス制御いわゆるオートフォーカスを行う際には、コントラスト方式など画像データから得られる評価値に基づいて光学系を駆動する方式が採用されている。一般に主被写体像は画像データ中の限定された領域に存在するため、評価値は画像データ中の所定のフォーカスエリアから求められる。
【発明の開示】
【発明が解決しようとする課題】
【０００４】
ところで、上記のようなフォーカスの評価値を得るためには画像データを取得する必要があるが、従来のデジタルカメラでは、この画像データを取得する際の露出制御値は画像データ全体の明るさから求めていた。
【０００５】
このことから、画像データ中のフォーカスエリアと他の領域との明るさの差が比較的大きくフォーカスエリアの黒つぶれなどが発生した場合、適切なフォーカスの評価値が得られず、オートフォーカス制御の精度や速度が低下するなどの問題が生じていた。
【０００６】
すなわち、従来のデジタルカメラにおいては、露出制御とフォーカス制御とが連携していないために種々の問題が生じることとなっていた。
【０００７】
本発明は、上記課題に鑑みてなされたものであり、フォーカス制御を考慮して適切な露出制御を行うことができる技術を提供することを目的とする。
【課題を解決するための手段】
【０００８】
上記課題を解決するため、請求項１の発明は、光学系を介して被写体の画像データを取得する撮像手段を有するデジタルカメラであって、前記撮像手段により取得される画像データ中の所定の合焦対象領域が合焦状態となるように前記光学系を駆動させるオートフォーカス制御を行うフォーカス制御手段と、撮影待機状態において前記撮像手段により取得される画像データ中の前記合焦対象領域を最大比重領域として、該画像データからフォーカス用露出制御値を導出するフォーカス用露出演算手段と、前記フォーカス制御手段がオートフォーカス制御を行う際に、前記フォーカス用露出制御値を用いて前記撮像手段の露出制御を行う露出制御手段と、を備えている。
【０００９】
また、請求項２の発明は、請求項１に記載のデジタルカメラにおいて、撮影待機状態において前記撮像手段により取得される画像データから、記録用画像データを取得する際に前記露出制御手段が用いる記録用露出制御値を導出する記録用露出演算手段と、前記フォーカス用露出制御値および前記記録用露出制御値の双方を保持する記憶手段と、をさらに備えている。
【００１０】
また、請求項３の発明は、光学系を介して被写体の画像データを取得する撮像手段を有するデジタルカメラであって、前記光学系のオートフォーカス制御を行うフォーカス制御手段と、撮影待機状態において前記撮像手段により取得される画像データから前記被写体の明るさを求める測光手段と、前記被写体の明るさに基づいて、前記光学系の絞り値を設定する絞り値設定手段と、を備え、前記被写体の明るさが所定の基準値よりも高い場合、前記フォーカス制御手段がオートフォーカス制御を行った後、前記絞り値設定手段は前記光学系の絞り値を、オートフォーカス制御を行う際における値よりも大きな値に設定し、前記測光手段は前記被写体の明るさを求めることを特徴とする。
【００１１】
また、請求項４の発明は、光学系を介して被写体の画像データを取得する撮像手段を有するデジタルカメラであって、前記撮像手段により取得される画像データが合焦状態となるように前記光学系の駆動を行うオートフォーカス制御と、操作入力に基づいて前記光学系の駆動を行うマニュアルフォーカス制御との間でフォーカス制御手法を切り替え可能なフォーカス制御手段と、前記撮像手段により取得される画像データから、前記被写体の明るさを求める測光手段と、前記被写体の明るさに基づいて、前記光学系の絞り値を設定する絞り値設定手段と、を備え、前記被写体の明るさが所定の基準値よりも高い場合、前記絞り値設定手段は、前記フォーカス制御手段のフォーカス制御手法がオートフォーカス制御のときと、マニュアルフォーカス制御のときとで、前記光学系の絞り値を相違させて設定することを特徴とする。
【００１２】
また、請求項５の発明は、光学系を介して被写体の画像データを取得する撮像手段の露出制御を行う露出制御装置であって、撮影待機状態において前記撮像手段により取得される画像データ中の、前記光学系のオートフォーカス制御を行うフォーカス制御手段が合焦評価に用いる合焦対象領域を最大比重領域として、該画像データからフォーカス用露出制御値を導出するフォーカス用露出演算手段、を備え、前記フォーカス制御手段がオートフォーカス制御を行う際に、前記フォーカス用露出制御値を用いて前記撮像手段の露出制御を行うことを特徴とする。
【発明の効果】
【００１３】
請求項１および５の発明によれば、オートフォーカス制御を行う際に、合焦対象領域に基づくフォーカス用露出制御値を用いて露出制御が行われるため、オートフォーカス制御を迅速かつ高精度に行うことができる。
【００１４】
また、請求項２の発明によれば、フォーカス用露出制御値および記録用露出制御値の双方を保持しているため、デジタルカメラが、撮影待機動作からオートフォーカス制御動作へ移行する際、あるいは、オートフォーカス制御動作から記録用画像データの取得動作に移行する際に、露出制御値を取得する必要がなく迅速に動作を移行することができる。
【００１５】
また、請求項３の発明によれば、オートフォーカス制御を行う際には絞り値を比較的小さな値とすることが好ましい一方で、絞り値が比較的小さい値であると、被写体の明るさを高精度に求めることができない。このため、絞り値をオートフォーカス制御のときよりも比較的大きな値に設定して、被写体の明るさを求めることにより高精度に被写体の明るさを求めることができる。
【００１６】
また、請求項４の発明によれば、オートフォーカス制御のときと、マニュアルフォーカス制御のときとの双方において、絞り値をそれぞれに適切な値にすることができる。
【発明を実施するための最良の形態】
【００１７】
以下、図面を参照しつつ本発明の実施の形態について説明する。
【００１８】
＜１．第１の実施の形態＞
＜１−１．デジタルカメラの構成＞
図１ないし図３は、本発明の実施の形態に係るデジタルカメラ１の要部構成を示す図であり、図１ないし図３はそれぞれ正面図、上面図および背面図に相当する。図１および図２に示すように、デジタルカメラ１は主としてカメラ本体部２と撮影レンズ３とから構成されている。
【００１９】
撮影レンズ３は複数のレンズ群を含むズームレンズとして構成され、その周縁部に設けられるズームリング３１を回転させることにより撮影倍率（焦点距離）を変更することが可能とされている。撮影レンズ３にはマクロ切り替えレバー３２が設けられており、マクロ切り替えレバー３２をスライドさせることによりマクロ撮影が可能となる。
【００２０】
図１に示すように、カメラ本体部２の前面には、左端部にグリップ部４、右方上部に内蔵フラッシュ５がそれぞれ設けられている。デジタルカメラ１では、撮影に先行してプリ発光を行い、撮影における内蔵フラッシュ５の発光量を設定するプリ発光方式が採用されている。
【００２１】
図２に示すように、グリップ部４の上面にはシャッターボタン１１が設けられている。シャッターボタン１１は銀塩カメラで採用されているような半押し状態（Ｓ１状態）と全押し状態（Ｓ２状態）とが検出可能な２段階スイッチとなっている。
【００２２】
カメラ本体部２の上面右方には、電源のオン／オフを切り替えるとともに、「撮影モード」、「再生モード」および「通信モード」の間で動作モードを切り替えるダイヤル式のメインスイッチ１５が設けられている。
【００２３】
「撮影モード」は被写体の撮影を行い画像データ（以下、適宜「画像」ともいう。）を取得しメモリカード９に記録する動作モードであり、「再生モード」はメモリカード９に記録された画像データを読み出して再生表示する動作モードである。また、「通信モード」はカメラ本体部２背面に設けられるＵＳＢ端子２７を介して外部のコンピュータに画像データを転送するなどの通信を行う動作モードである。
【００２４】
メインスイッチ１５の左方には、デジタルカメラ１の各種の設定情報を表示するデータパネル２１が設けられており、デジタルカメラ１の設定情報を容易に把握することができるようにされている。
【００２５】
また、デジタルカメラ１の側面上方には、取得される画像データの「サイズ」、「圧縮率」、「ホワイトバランス」などの項目を設定するためのファンクションダイヤル１６およびファンクションボタン１６ａが設けられている。ファンクションダイヤル１６によって設定を行う項目にセットした後、ファンクションボタン１６ａを押下しつつ、グリップ部４上部の選択ダイヤル１２を回転させることにより、セットされた項目の設定内容を順次変更することができる。
【００２６】
図３に示すように、カメラ本体部２の背面左方には、被写体の画像データのライブビュー表示、記録された画像データの再生表示および各種設定等を行うための液晶ディスプレイ（ＬＣＤ）２３および電子ビューファインダ（ＥＶＦ）２２が設けられている。ＬＣＤ２３の表示とＥＶＦ２２の表示とは、ＥＶＦ２２の右方のディスプレイ切り替えレバー１７の操作により切り替えることができる。ディスプレイ切り替えレバー１７の中央部分は情報表示切り替えボタン１７ａとなっており、ＬＣＤ２３またはＥＶＦ２２に画像データが表示されているときに、設定情報等を同時に表示するか否かを切り替えることができる。
【００２７】
ＬＣＤ２３の右方にはメニューボタン１８および十字キー１９が設けられている。十字キー１９は上スイッチ１９Ｕ、下スイッチ１９Ｄ、左スイッチ１９Ｌおよび右スイッチ１９Ｒからなる４連スイッチ、ならびに、中央ボタン１９Ｃから構成される。メニューボタン１８を押下するとＬＣＤ２３に設定メニューが表示され、設定メニューを参照しつつ、十字キー１９を操作することによって、デジタルカメラ１の各種設定を行うことができる。
【００２８】
また、十字キー１９の下部には、フォーカスモード（フォーカス制御手法）を切り替えるためのフォーカスモードボタン２０が設けられている。フォーカスモードボタン２０を押下するごとに、画像データ中の所定のフォーカスエリアが合焦状態となるように撮影レンズ３内のレンズ群を自動的に駆動させるオートフォーカス制御（以下、単に「オートフォーカス」または「ＡＦ」ともいう。）と、ユーザからの操作入力に基づいてレンズ群を駆動させるマニュアルフォーカス制御（以下、単に「マニュアルフォーカス」または「ＭＦ」ともいう。）との間でフォーカスモードが切り替えられる。
【００２９】
フォーカスモードがＡＦの場合は、撮影待機状態においてＬＣＤ２３またはＥＶＦ２２にフォーカスエリアに相当する領域ＦＡ０が表示される。ユーザはこの領域ＦＡ０に所望の被写体像が配置されるようにフレーミングを行うことで、所望の被写体像を合焦状態とさせることができる。
【００３０】
また、フォーカスモードがＭＦの場合におけるレンズ群の駆動方向およびその駆動量は、撮影レンズ３とカメラ本体部２との接続部分に回転自在に設けられるフォーカスリング３３の操作入力により決定される。
【００３１】
カメラ本体部２の下部には電池室２４が設けられている。電池室２４は、電池室解放レバー２４ａでその蓋が解放され、４本の単三形乾電池が装填される。可搬性のデジタルカメラ１は、電池室２４に装填される単三形乾電池を通常の駆動源としているが、電池室２４の右方に設けられる電源入力端子２５を介して供給される外部からの直流電源を駆動源とすることも可能とされている。
【００３２】
電源入力端子２５の右方には、ビデオ出力端子２６が設けられており、外部のモニタに画像データを転送して表示させることができるようにされている。
【００３３】
また、カメラ本体部２の内部にはカードスロット２９が設けられ、カメラ本体部２の側面から画像データ等を記録するメモリカード９を挿入して装着できる。カードスロット２９の挿入口近傍には、メモリカード９へのアクセス中である旨を表示するためのアクセスランプ２８が配置される。
【００３４】
＜１−２．デジタルカメラの内部構成＞
図４は、デジタルカメラ１の主たる内部構成を機能ブロックとして示す図である。
【００３５】
レンズ駆動部２１１は、全体制御部３０から入力される信号に基づいて、被写体像の合焦状態を決定する撮影レンズ３内のレンズ群や、入射光量を決定する撮影レンズ３内の絞り等を駆動する。
【００３６】
ＣＣＤ２０１は、受光部、垂直転送部、水平転送部および出力部等から構成される撮像素子である。ＣＣＤ２０１は、撮影レンズ３により結像された被写体の光像を受光部によって信号電荷に光電変換し、この信号電荷を垂直転送部および水平転送部を介して転送を行って順次出力部から出力する。ＣＣＤ２０１の受光部は、Ｒ（赤）、Ｇ（緑）、Ｂ（青）のカラーフィルタが貼り付けられた横２５６０×縦１９２０の画素からなり、ＣＣＤ２０１から出力される信号電荷はＲＧＢの色成分を有する画像信号となる。
【００３７】
ＣＣＤ２０１は、画像信号の出力モードとして、全画素の画像データを出力するフレームモードと、縦の画素を１／８に間引いて横２５６０×縦２４０の画素を有する簡易画像データを出力するドラフトモードとを有している。撮影待機状態においては高速化のためドラフトモードに、撮影指示後において記録用の画像データを出力する際にはフレームモードにそれぞれ設定される。
【００３８】
タイミングジェネレータ２１０は、全体制御部３０から入力される信号に基づきＣＣＤ２０１へ駆動制御信号を送信するものである。例えば、ＣＣＤ２０１の各画素に蓄積された信号電荷を垂直転送部に転送させる垂直同期信号ＶＤ、信号電荷を垂直転送部から水平転送部に順次転送させる水平同期信号ＨＤ、各画素の不要電荷の掃き出しを行う不要電荷掃出し信号ＳＵＢ、ドラフトモードあるいはフレームモードへ出力モードを変更させる出力モード変更信号等を送信する。
【００３９】
デジタルカメラ１の露出制御は、ＣＣＤ２０１の電荷蓄積時間（シャッタースピードに相当：以下、「シャッタースピード」ともいう。）と、絞り値とを調整することにより行われる。なお、本明細書においては、シャッタースピードおよび絞り値を総称して「露出制御値」と称する。
【００４０】
ＣＣＤ２０１の電荷蓄積時間（シャッタースピード）は、タイミングジェネレータ２１０から送信される不要掃出し信号ＳＵＢのパルス数で調節される。図５は、ＣＣＤ２０１の電荷蓄積時間を説明するための図である。ＣＣＤ２０１は、所定の周期Ｖでタイミングジェネレータ２１０から与えられる垂直同期信号ＶＤのパルスごとに信号電荷を垂直転送部に転送するため、垂直同期信号ＶＤのパルス発生周期Ｖと同時間、受光部で信号電荷が蓄積される。
【００４１】
その一方で、ＣＣＤ２０１は、不要電荷掃出し信号ＳＵＢのパルスが与えられると、受光部に蓄積された信号電荷を不要電荷として掃き出すようになっている。このため、ＣＣＤ２０１に不要電荷掃出し信号ＳＵＢのパルスを与えている時間ＥＳは、受光部にて信号電荷が実質的に蓄積されないことから、受光部における電荷蓄積時間ＥＸＰは、次式、
ＥＸＰ＝Ｖ−ＥＳ
で与えられることとなる。ここで、時間ＥＳは、ＣＣＤ２０１に与える不要電荷掃出し信号ＳＵＢのパルス数によって決定されるため、電荷蓄積時間ＥＸＰは不要電荷掃出し信号ＳＵＢのパルス数によって調節されることとなる。この電荷蓄積時間ＥＸＰが長いほど、より多くの信号電荷が受光部にて蓄積され、明るい画像データが取得される。
【００４２】
なお、不要電荷掃出し信号ＳＵＢのパルス発生周期は、水平同期信号ＨＤのパルス発生周期Ｈと一致する。このことから、電荷蓄積時間ＥＸＰは、垂直同期信号ＶＤのパルス発生周期Ｖから、水平同期信号ＨＤのパルス発生周期Ｈの整数倍を引いた時間で与えられる。
【００４３】
一方、絞り値は、撮影レンズ３内の絞りの開口径に相当する値であり、本実施の形態においては複数の段階から選択的に設定される。以下の説明においては、絞り値をＡＰＥＸ表示におけるＡＶ値を用いて表現する。例えば、絞りを開放状態とする場合の絞り値は「３」（Ｆ＝２．８：以下、「開放値」ともいう。）に設定され、また、絞りを開放状態から１段絞る場合の絞り値は「４」（Ｆ＝４．０）に、絞りを開放状態から２段絞る場合の絞り値は「５」（Ｆ＝５．６）にそれぞれ設定される。すなわち、絞りを開放状態からｎ段絞る場合、絞り値は「３＋ｎ」に設定され、この絞り値が大きくなるほど絞りの開口径が小さくなり入射光量が制限される。
【００４４】
図４に戻り、信号処理回路２０２は、ＣＣＤ２０１から出力される画像信号（アナログ信号）に所定のアナログ信号処理を施すものである。信号処理回路２０２は、ＣＤＳ（相関二重サンプリング）回路とＡＧＣ（オートゲインコントロール）回路とをその内部に有し、ＣＤＳ回路により画像信号のノイズの低減を行い、ＡＧＣ回路のゲインを調整することにより画像信号のレベル調整を行う。
【００４５】
Ａ／Ｄ変換器２０３は、信号処理回路２０２から出力された各画素信号（アナログ信号）を例えば１２ビットのデジタル信号に変換する。Ａ／Ｄ変換器２０３から出力された各画素の値（画素値）は、ＲＧＢの色成分からなるカラーの色成分値として表現される。
【００４６】
ＷＢ（ホワイトバランス）補正回路２０４は、Ａ／Ｄ変換器２０３から出力された画像データに対して、白いものが白くなるように照明光源の色の影響による色バランスのずれの補正（いわゆるホワイトバランス補正）を行う。ＷＢ補正回路２０４は、撮影ごとに設定される変換テーブルを用いて画像データのＲＧＢの色成分値を変換する。
【００４７】
γ補正回路２０５は、ＷＢ補正回路２０４から出力された画像データに対してγ補正を施す。通常、画像データの階調特性が一般的な表示デバイスのγ特性に適合するように補正される。
【００４８】
色補正変換回路２０６は、γ補正回路２０５から出力された画像データに対して、色の補正および色空間の変換を行う。具体的には、撮影ごとに設定される変換マトリクスを用いて、彩度を強調するように各画素値を調整（色調整）するとともに、ＲＧＢの色成分からなる各画素値をＹＣｒＣｂ（輝度成分値Ｙと色差成分値Ｃｒ，Ｃｂ）へ色空間変換する。
【００４９】
解像度変換回路２０７は、色補正変換回路２０６から出力された画像データを所定の解像度に変換する。フレームモードに設定されたＣＣＤ２０１から出力される記録用の画像データの場合は、ファンクションダイヤル１６等により設定された「サイズ」に応じた解像度の画像データに変換する。また、ドラフトモードに設定されたＣＣＤ２０１から出力される簡易画像データの場合は、横の画素を１／８に間引き、横３２０×縦２４０の画素からなる画像データに変換し、ＥＶＦ２２あるいはＬＣＤ２３に表示するライブビュー画像を生成する。
【００５０】
撮影待機状態において取得される画像データは、ＷＢ補正回路２０４から演算領域抽出回路２０８にも入力される。さらにこの画像データは、演算領域抽出回路２０８からＡＦ評価値演算回路２２１、主測光演算回路２２２およびＡＦ用測光演算回路２２３に出力され、露出制御やオートフォーカスに用いられることとなる。露出制御やオートフォーカスに使用する画像データは、ＣＣＤ２０１の出力信号のリニアな特性を保持した状態であることが好ましいため、γ補正を施す前の画像データが演算領域抽出回路２０８に入力される。
【００５１】
演算領域抽出回路２０８は、入力された画像データから、ＡＦ評価値演算回路２２１、主測光演算回路２２２およびＡＦ用測光演算回路２２３のそれぞれが演算対象とする領域を抽出し、抽出した画像データをそれぞれに出力する。ＡＦ評価値演算回路２２１ではオートフォーカス時の合焦程度を示すフォーカスの評価値が演算され、主測光演算回路２２２では記録用の画像データ等を取得する際の露出制御値を求めるための主測光値ＢＶ１が演算され、さらに、ＡＦ用測光演算回路２２３ではオートフォーカス時の露出制御値を求めるためのＡＦ用測光値ＢＶ２が演算される。
【００５２】
図６は、主測光演算回路２２２が演算対象とする画像データ中の領域を説明するための図である。前述したように、ＣＣＤ２０１では横２５６０×縦１９２０の画素を有する画像データ７１ａが取得されるが、ドラフトモードに設定されたＣＣＤ２０１からは、縦の画素を１／８に間引いた横２５６０×縦２４０の画素を有する簡易画像データ７１ｂが出力される。この簡易画像データ７１ｂは、演算領域抽出回路２０８によりさらに横の画素も１／８に間引かれ、主測光演算回路２２２が演算対象とする横３２０×縦２４０の画素を有する画像データ７１ｃが生成される。この画像データ７１ｃは全画素の画像データ７１ａの縦横双方を１／８に均一に間引いたものであるため、主測光演算回路２２２が演算対象とする領域は、画像データ７１ａの全体の領域に相当する。
【００５３】
主測光演算回路２２２は、この画像データ７１ｃを例えば縦５×横５のブロックに分割し、分割された各ブロックに対し加重係数（本実施の形態ではＫ１，Ｋ２，Ｋ３：Ｋ１＞Ｋ２＞Ｋ３）を設定する。具体的には、図６に示すように、主被写体像が存在する可能性の高い画像データ７１ｃの中央ブロックＢＬを露出注目領域とし、この露出注目領域ＢＬに最大の加重係数Ｋ１を設定する。さらに、露出注目領域ＢＬの周辺ブロックに加重係数Ｋ２を設定し、その他のブロックに最小の加重係数Ｋ３を設定する。
【００５４】
そして、同一の加重係数が設定されたブロックを同一のグループとして、グループごとに画素の輝度値の平均値を算出し、算出した輝度値の平均値と、設定した加重係数とを用いて加重平均を行い、その演算結果を主測光値ＢＶ１とする。例えば、露出注目領域ＢＬの輝度値の平均値がＤ１、露出注目領域ＢＬの周辺ブロックの輝度値の平均値がＤ２、その他のブロックの輝度値の平均値がＤ３であったとすると、主測光値ＢＶ１は、
ＢＶ１＝（Ｋ１・Ｄ１＋Ｋ２・Ｄ２＋Ｋ３・Ｄ３）／（Ｋ１＋Ｋ２＋Ｋ３）
で求められる。
【００５５】
一方、ＡＦ評価値演算回路２２１は、画像データ中の合焦対象領域であるフォーカスエリアを演算対象の領域としている。図７は、ＡＦ評価値演算回路２２１が演算対象とする画像データ中の領域を説明するための図である。
【００５６】
図に示すように、ＣＣＤ２０１で取得される画像データ７１ａにおいてフォーカスエリアＦＡ１は、主被写体像が存在する可能性の高い画像データ７１ａの中央部に割り当てられる。ドラフトモードに設定されたＣＣＤ２０１からは簡易画像データ７１ｂが出力されるが、演算領域抽出回路２０８はこの簡易画像データ７１ｂ中においてフォーカスエリアに相当する横６４０×縦８０の画素の領域ＦＡ２を抽出する。そして、抽出された領域ＦＡ２のみの画像データ７１ｄを生成して、ＡＦ評価値演算回路２２１に入力する。この画像データ７１ｄは、横方向に隣接する画素に関しては間引きのないデータとなる。
【００５７】
ＡＦ評価値演算回路２２１は、入力された画像データ７１ｄ中の横方向に隣接する画素の輝度値の差分値（コントラスト）を絶対値で求め、さらに、求めた差分値の画像データ全体における総和をフォーカスの評価値として求める。
【００５８】
ＡＦ用測光演算回路２２３は、ＡＦ評価値演算回路２２１と同一の領域を演算対象の領域としている。このため、ＡＦ用測光演算回路２２３にも、簡易画像データ７１ｂ中のフォーカスエリアに相当する領域ＦＡ２のみの画像データ７１ｄが入力される。ＡＦ用測光演算回路２２３は、画像データ７１ｄの画素の輝度値の平均値を算出し、その演算結果をＡＦ用測光値ＢＶ２とする。
【００５９】
つまり、主測光演算回路２２２は、画像データの全体の領域から主測光値ＢＶ１を求め、ＡＦ用測光演算回路２２３は、画像データ中のフォーカスエリア（正確には、フォーカスエリアに相当する領域）からＡＦ用測光値ＢＶ２を求めることとなる。
【００６０】
図４に戻り、画像メモリ２１５はＣＣＤ２０１で取得された画像データを記憶するメモリであり、フレームモードに設定されたＣＣＤ２０１から出力される画像データを少なくとも１フレーム分記憶し得る記憶容量を有している。ＣＣＤ２０１にて取得された画像データは、信号処理回路２０２〜解像度変換部２０７で所定の処理が施された後、一旦画像メモリ２１５に格納される。画像メモリ２１５は、また、ＥＶＦ２２およびＬＣＤ２３に表示するための画像データを格納するバッファメモリとしても機能する。
【００６１】
ＥＶＦ／ＬＣＤ切替部２１６は、ディスプレイ切り替えレバー１７の設定に基づいて、画像メモリ２１５に格納された画像データの出力先を切り替える。これにより、ＥＶＦ２２とＬＣＤ２３との表示切り替えが行われる。撮影待機状態では、所定時間ごとにＣＣＤ２０１により取得される簡易画像データが、所定の処理が施されてライブビュー画像とされた後、ＥＶＦ／ＬＣＤ切替部２１６を介してＥＶＦ２２やＬＣＤ２３に表示される（ライブビュー表示）。なお以下、ＥＶＦ２２およびＬＣＤ２３を総称して「表示部」２２０という。
【００６２】
また、ＥＶＦ／ＬＣＤ切替部２１６からは、外部モニタＩ／Ｆ２１７にも画像データが出力される。外部モニタＩ／Ｆ２１７に出力された画像データは、外部モニタＩ／Ｆ２１７において例えばＮＴＳＣ方式の画像信号に変換され、ビデオ出力端子２６を介して外部モニタ６２等に送出される。
【００６３】
圧縮・伸張部２１３は、記録用の画像データに対してＪＰＥＧ方式などの圧縮処理を施すとともに、メモリカード９に圧縮されて記録された画像データの伸張処理を行う。記録用の画像データは圧縮・伸張部２１３により、ファンクションダイヤル１６等により設定された「圧縮率」で圧縮され、メモリカード９に記録される。メモリカード９への画像データの記録や読み出しはカードスロット２９内に設けられるカードＩ／Ｆ２１４を介して行われる。
【００６４】
ＵＳＢＩ／Ｆ２１２は、通信モードにおいて外部のコンピュータ６１との通信を行うためのＵＳＢ規格に準拠した通信用インターフェースである。ＵＳＢＩ／Ｆ２１２とコンピュータ６１とのデータ通信はＵＳＢ端子２７を介して行われる。
【００６５】
操作部１０は、上述したシャッターボタン１１、十字キー１９、フォーカスモードボタン２０およびフォーカスリング３３等を含む操作部材をひとつの機能ブロックとして示している。操作部１０の操作入力情報は、信号として全体制御部３０に入力される。タイマ２１９は、撮影日時等の時刻を管理する計時回路であり、図示しない別の電源で駆動される。
【００６６】
全体制御部３０は、マイクロコンピュータで構成され、デジタルカメラ１の上述した各部材の動作を統括的に制御する。全体制御部３０は、各種演算処理を行うＣＰＵ３１と、演算を行うための作業領域となるＲＡＭ３２と、制御プログラム等が記憶されるＲＯＭ３３とを備えている。
【００６７】
全体制御部３０は、様々な機能をソフトウェア的に実現している。すなわち、ＲＯＭ３３に記憶される制御プログラムに従って、ＣＰＵ３１が演算動作を行うことにより各種機能が実現される。なお、記録媒体であるメモリカード（制御プログラムを記憶したもの）９から読み出して、あるいは、ＵＳＢＩ／Ｆ２１２により通信するコンピュータ６１から転送されて、新たな制御プログラムをＲＯＭ３３内に格納（インストール）することも可能とされている。
【００６８】
図４において露出制御部３１０およびフォーカス制御部３２０は、ＲＯＭ３３に記憶された制御プログラムに従ってＣＰＵ３１が演算動作を行うことにより実現される機能を機能ブロックとして表したものである。
【００６９】
露出制御部３１０は露出制御を行うものであり、図４に示す主露出演算部３１１、ＡＦ用露出演算部３１２および露出信号送信部３１３は、露出制御部３１０の機能をそれぞれ示している。
【００７０】
主露出演算部３１１は、主測光演算回路２２２から入力される主測光値ＢＶ１に基づいて、記録用の画像データを取得する際の露出制御値（以下、「記録用露出制御値」という。）、および、ライブビュー用の簡易画像データを取得する際の露出制御値（以下、「ＬＶ用露出制御値」という。）を導出する。
【００７１】
ＡＦ用露出演算部３１２は、ＡＦ用測光演算回路２２３から入力されるＡＦ用測光値ＢＶ２に基づいて、フォーカスの評価値の取得を目的とする簡易画像データを取得する際（すなわちオートフォーカス時）における露出制御値（以下、「ＡＦ用露出制御値」という。）を導出する。
【００７２】
露出信号送信部３１３は、導出された記録用露出制御値、ＬＶ用露出制御値およびＡＦ用露出制御値のうちいずれかに基づいて、レンズ駆動部２１１に対して絞りの開口径を調節するための信号、および、タイミングジェネレータ２１０に対してシャッタースピードを調節するための信号をそれぞれ送信する。使用する露出制御値はデジタルカメラ１の動作状態に応じて選択される。したがって、絞りの開口径およびシャッタースピードは、選択された露出制御値に基づいて露出制御部３１０により調節されることとなる。
【００７３】
フォーカス制御部３２０は、撮影レンズ３内のレンズ群を駆動させるフォーカス制御を行うものであり、図４において、ＡＦ制御部３２１およびＭＦ制御部３２２は、フォーカス制御部３２０の機能をそれぞれ示している。
【００７４】
ＡＦ制御部３２１は、オートフォーカス制御を行うものであり、ＡＦ評価値演算回路２２１から入力されるフォーカスの評価値に基づいてレンズ群を駆動させる。具体的には、レンズ群を駆動させる信号をレンズ駆動部２１１に送信しながら、順次取得される簡易画像データから求められるフォーカスの評価値を監視し、フォーカスの評価値が最も高くなるレンズ群の位置を合焦位置とする。
【００７５】
一方、ＭＦ制御部３２２は、マニュアルフォーカス制御を行うものであり、ユーザが操作したフォーカスリング３３の回転方向および回転角度を受け付け、これらをそれぞれレンズ群の駆動方向および駆動量に換算して、レンズ群を駆動させる信号をレンズ駆動部２１１に送信する。
【００７６】
＜１−３．撮影モード動作＞
次に、デジタルカメラ１の動作について説明する。図８は、このデジタルカメラ１の動作の流れを示す図である。なお、この説明においては、フォーカスモードはＡＦに設定され、フォーカスモードの切り替えは行われないものとする。
【００７７】
デジタルカメラ１は撮影モードに設定されると撮影待機状態となり、所定時間ごとにＣＣＤ２０１で簡易画像データを取得し、ライブビュー画像を生成して表示部２２０に表示させるライブビュー動作を行う。
【００７８】
まず、ＣＣＤ２０１が簡易画像データを出力するドラフトモードに設定される（ステップＳＴ１）。そして、ライブビュー用の簡易画像データを取得するための露出制御がＬＶ露出制御値に基づいて行われる。すなわち、実際の絞り値およびシャッタスピードがＬＶ用露出制御値になるように、露出信号送信部３１３からレンズ駆動部２１１およびタイミングジェネレータ２１０に対して信号が送信される（ステップＳＴ２）。なお、デジタルカメラ１の起動時においては、ＬＶ用露出制御値は導出されていないため、露出制御値としては適当な初期値が用いられる。
【００７９】
続いて、ＣＣＤ２０１において簡易画像データが取得され（ステップＳＴ３）、取得された簡易画像データが信号処理回路２０２〜解像度変換部２０７にて所定の処理が行われてライブビュー画像とされた後、表示部２２０に表示される（ステップＳＴ５）。
【００８０】
その一方で、簡易画像データは、演算領域抽出回路２０８にて所定の領域が抽出された後、主測光演算回路２２２およびＡＦ用測光演算回路２２３にも入力される。そして、主測光演算回路２２２において主測光値ＢＶ１が演算され、ＡＦ用測光演算回路２２３においてＡＦ用測光値ＢＶ２が演算される。
【００８１】
さらに、演算された主測光値ＢＶ１とＡＦ用測光値ＢＶ２とは全体制御部３０の主露出演算部３１１とＡＦ用露出演算部３１２とにそれぞれ入力される。主露出演算部３１１は、入力された主測光値ＢＶ１に基づいて所定のプログラム線図を参照し、ＬＶ用露出制御値および記録用露出制御値を導出する。一方、ＡＦ用露出演算部３１２は、入力されたＡＦ用測光値ＢＶ２に基づいて所定のプログラム線図を参照し、ＡＦ用露出制御値を導出する（ステップＳＴ４）。
【００８２】
このようにして導出されたＬＶ用露出制御値、記録用露出制御値およびＡＦ用露出制御値はそれぞれＲＡＭ３２に格納され、常時選択的に取り出すことが可能とされる。
【００８３】
以上のステップＳＴ２〜ＳＴ５の動作（ライブビュー動作）は、シャッターボタン１１が半押しされるまで（ステップＳＴ６にてＮｏの間）繰り返される。このため、ＬＶ用露出制御値、記録用露出制御値およびＡＦ用露出制御値は、被写体に応じて適切な値に更新されつつＲＡＭ３２に保持される。このうちＬＶ用露出制御値は、ライブビュー用の簡易画像データを取得する際における露出制御に即時的に反映される。
【００８４】
このような撮影待機状態において、シャッターボタン１１が半押しされると（ステップＳＴ６にてＹｅｓ）オートフォーカス動作に移行することとなるが、これに先だって、ＲＡＭ３２に保持されているＡＦ露出制御値に基づいて、フォーカスの評価値取得を目的とした簡易画像データを取得するための露出制御が行われる。すなわち、実際の絞り値およびシャッタスピードがＡＦ用露出制御値になるように、露出信号送信部３１３からレンズ駆動部２１１およびタイミングジェネレータ２１０に対して信号が送信される（ステップＳＴ７）。その後、オートフォーカスがＡＦ制御部３２１により行われる（ステップＳＴ８）。
【００８５】
ＡＦ用露出制御値は、簡易画像データ中のフォーカスエリアに相当する領域から求められることから、オートフォーカス時に取得される簡易画像データ中の少なくともフォーカスエリアに相当する領域は適正露光となる。したがって、フォーカスエリアに相当する領域において、画素飽和や黒つぶれ等によるコントラスト不足が生じず、適切なフォーカスの評価値が取得される。これにより、デジタルカメラ１ではオートフォーカスが迅速かつ高精度に行われることとなる。
【００８６】
オートフォーカスが終了した後、シャッターボタン１１が全押しされると（ステップＳＴ９にてＹｅｓ）、記録用の画像データを取得する動作に移行する。すなわち、ＣＣＤ２０１がフレームモードに設定され（ステップＳＴ１０）、ＲＡＭ３２に保持されている記録用露出制御値に基づく露出制御が行われ（ステップＳＴ１１）、ＣＣＤ２０１にて記録用の画像データが取得される（ステップＳＴ１２）。取得された記録用の画像データは、信号処理回路２０２〜解像度変換部２０７にて所定の処理が行われ画像メモリ２１５に格納された後、圧縮・伸張部２１３により圧縮されてメモリカード９に記録される（ステップＳＴ１３）。その後、再度、ステップＳＴ１に戻り、撮影待機状態に移行する。
【００８７】
なお、オートフォーカスが終了した後、シャッターボタン１１の操作が解除された場合（ステップＳＴ９にてＮｏ）は、ステップＳＴ２に戻り、ライブビュー動作に移行することとなる。
【００８８】
以上、第１の実施の形態について説明を行ったが、本実施の形態のデジタルカメラ１においては、オートフォーカス時において、フォーカスエリアから求められるＡＦ用露出制御値に基づいて露出制御を行うため、フォーカスエリアが適正露光となる画像データが得られる。したがって、この画像データ中のフォーカスエリアから適切なフォーカスの評価値を取得することができ、オートフォーカスを迅速かつ高精度に行うことができる。
【００８９】
また、ＬＶ用露出制御値、記録用露出制御値およびＡＦ用露出制御値の全てが常時ＲＡＭ３２に保持されていることから、ライブビュー動作からオートフォーカス動作に移行する際、オートフォーカス動作から記録用の画像データを取得する動作に移行する際、あるいは、オートフォーカス動作からライブビュー動作に移行する際のいずれにおいても、再度、画像データを取得して露出制御値を求める必要が無く、迅速に動作を移行させることができる。
【００９０】
また、露出制御部３１０は、デジタルカメラ１の動作状態に応じて、ＬＶ用露出制御値、記録用露出制御値およびＡＦ用露出制御値のうちから露出制御に用いる露出制御値を選択するため、デジタルカメラ１の動作状態に適した露光状態の画像データを取得することができる。
【００９１】
＜２．第２の実施の形態＞
次に、本発明の第２の実施の形態について説明する。本実施の形態に係るデジタルカメラ１の構成は図１ないし図３に示すものと同様であり、内部構成は図４に示すものと同様である。また、本実施の形態のデジタルカメラ１の撮影モードの動作は、第１の実施の形態とほぼ同様であるが、露出制御値の導出手法等が相違する。
【００９２】
一般に、フォーカス制御を行う際においては、被写界深度を浅くする（合焦状態となる被写体の距離範囲を狭くする）ほど、対象とする主被写体を合焦させやすくなる。したがって、オートフォーカスの精度を向上させるためには、オートフォーカス時における絞り値を、被写界深度が浅くなる開放値（本実施の形態では「３」）にすることが好ましい。
【００９３】
また、ライブビュー動作からオートフォーカス動作に移行する際に、絞りの駆動が発生するとオートフォーカス動作が遅延するため、ライブビュー動作時の絞り値と、オートフォーカス時の絞り値とは一致していることが好ましい。すなわち、ライブビュー動作時においても絞り値は開放値にすることが好ましいこととなる。
【００９４】
その一方で、被写体の輝度（明るさ）が比較的高く、ＣＣＤ２０１の許容範囲を超えた強い光がＣＣＤ２０１に入射された場合、信号電荷の転送時においてもＣＣＤ２０１の受光部が感光して、画像データにスミアと呼ばれる帯が発生することがある。このようなスミアを防止するためには、絞り値を大きくし入射光量を抑制してやる必要がある。
【００９５】
また、ライブビュー動作時において絞り値を開放値に固定したとすると、露出制御はシャッタースピードのみで調節することとなる。このシャッタースピードは、前述したように垂直同期信号ＶＤのパルス発生周期Ｖから水平同期信号ＨＤのパルス発生周期Ｈの整数倍を引いた時間で与えられる。すなわち、シャッタースピードを調整できる最小単位時間は水平同期信号ＨＤのパルス発生周期Ｈに依存することから、特に被写体の輝度が比較的高い場合においては、シャッタースピードのみでは露光量の微調整を行うことができない。したがって、被写体の輝度が比較的高い場合のライブビュー中に絞り値を開放値等に固定したとすると、取得される簡易画像データは適正露光とはならず、この簡易画像データから得られる主測光値ＢＶ１等の精度は低下してしまう。
【００９６】
本実施の形態のデジタルカメラ１では上記のような事象を考慮して各露出制御値を設定するようになっている。以下、図９ないし図１１を参照して、本実施の形態のデジタルカメラ１の撮影モードにおける動作の流れについて具体的に説明する。
【００９７】
デジタルカメラ１では、フォーカスモードによって露出制御値の設定手法等を含む動作内容が相違する。このため、まず、ＣＣＤ２０１がドラフトモードに設定されると（ステップＳＴ２１）、続いて、フォーカスモードがＡＦであるかＭＦであるかが判定される（ステップＳＴ２２）。そして、フォーカスモードがオートフォーカスの場合はステップＳＴ２３以降の動作が行われ、フォーカスモードがマニュアルフォーカスの場合は図１０のステップＳＴ４１以降の動作が行われる。
【００９８】
＜２−１．フォーカスモード…オートフォーカス時＞
フォーカスモードがオートフォーカスである場合は、続いて、第１の実施の形態と同様に、ライブビュー用の簡易画像データを取得するための露出制御がＬＶ露出制御値に基づいて行われ（ステップＳＴ２３）、ＣＣＤ２０１において簡易画像データが取得され（ステップＳＴ２４）、取得された簡易画像データが信号処理回路２０２〜解像度変換部２０７にて所定の処理が行われてライブビュー画像とされた後、表示部２２０に表示される（ステップＳＴ２６）。
【００９９】
その一方で、取得された簡易画像データに基づいて主測光値ＢＶ１とＡＦ用測光値ＢＶ２が求められ、さらに、露出制御部３１０において、ＬＶ用露出制御値、記録用露出制御値およびＡＦ用露出制御値が導出される（ステップＳＴ２５）。図１２は、これらの露出制御値を導出する処理（ステップＳＴ２５）の流れを示す図である。
【０１００】
まず、主露出演算部３１１によりＬＶ露出制御値が導出されるが、これに先だって、ライブビュー動作時に取得される画像データにおいてスミアが発生する可能性があるか否かが判定される。具体的には、主測光値ＢＶ１が所定の第１基準値（本実施の形態では、ＡＰＥＸ値換算の「７」）よりも高いか否かが判定される（ステップＳＴ１０１）。
【０１０１】
スミアが発生する可能性がある場合（ステップＳＴ１０１にてＹｅｓ）は、スミアの発生を防止するために、ＬＶ露出制御値の絞り値が開放値「３」から１段絞り込む値「４」に設定され、さらに、この絞り値「４」に合わせてＬＶ露出制御値のシャッタースピードが導出される（ステップＳＴ１０２）。
【０１０２】
一方、スミアが発生する可能性がない場合（ステップＳＴ１０１にてＮｏ）は、ＬＶ露出制御値の絞り値が開放値「３」に設定され、さらに、この絞り値「３」に合わせてＬＶ露出制御値のシャッタースピードが導出される（ステップＳＴ１０３）。
【０１０３】
ＬＶ露出制御値が導出されると、続いて、主露出演算部３１１により記録用露出制御値が導出されるが、これに先立って、主測光値ＢＶ１の精度が低下しているか否かが判定される。具体的には、主測光値ＢＶ１が所定の第２基準値（本実施の形態では、ＡＰＥＸ値換算の「１０」）よりも高いか否かが判定される（ステップＳＴ１０４）。
【０１０４】
主測光値ＢＶ１の精度が低下していると判定された場合（ステップＳＴ１０４にてＹｅｓ）は、この主測光値ＢＶ１に基づいて記録用露出制御値を導出しても適切な値を求めることができない。このため、再度、簡易画像データを取得して（再測光して）記録用露出制御値を導出する必要がある旨を示す内部フラグ（以下、「再測光フラグ」という。）がＯＮとされる（ステップＳＴ１０５）。
【０１０５】
そして、主露出演算部３１１により、再測光する際の露出制御値（以下、「再測光露出制御値」という。）が導出される。具体的には、再測光露出制御値の絞り値は「５」に設定され、さらに、この絞り値「５」に合わせて再測光露出制御値のシャッタースピードが導出される（ステップＳＴ１０６）。
【０１０６】
一方、主測光値ＢＶ１の精度が低下していないと判定された場合（ステップＳＴ１０４にてＮｏ）は、この主測光値ＢＶ１に基づいて適切な記録用露出制御値を導出することができるため、再測光フラグはＯＦＦとされる（ステップＳＴ１０７）。そして、この主測光値ＢＶ１に基づいて所定のプログラム線図が参照されて、記録用露出制御値が導出される（ステップＳＴ１０８）。
【０１０７】
次に、ＡＦ用露出演算部３１２によりＡＦ用露出制御値が導出されるが、これに先立って、オートフォーカス時に取得される簡易画像データにおいてスミアが発生する可能性があるか否かが判定される。具体的には、ＡＦ用測光値ＢＶ２が所定の第１基準値（ＡＰＥＸ値換算の「７」）よりも高いか否かが判定される（ステップＳＴ１０９）。
【０１０８】
簡易画像データにおいてスミアが発生すると適切なフォーカスの評価値が得られないため、スミアが発生する可能性がある場合（ステップＳＴ１０９にてＹｅｓ）は、ＡＦ用露出制御値のうち絞り値が開放値「３」から１段絞り込む値「４」に設定され、さらに、この絞り値「４」に合わせたＡＦ用露出制御値のシャッタースピードが導出される（ステップＳＴ１１０）。
【０１０９】
一方、スミアが発生する可能性がない場合（ステップＳＴ１０９にてＮｏ）は、被写界深度を浅くすることが好ましいため、ＡＦ用露出制御値のうち絞り値が開放値「３」に設定され、さらに、この絞り値「３」に合わせたＡＦ用露出制御値のシャッタースピードが導出される（ステップＳＴ１１１）。
【０１１０】
このようにして導出されたＬＶ用露出制御値、記録用露出制御値（あるいは再測光露出制御値）およびＡＦ用露出制御値は、それぞれＲＡＭ３２に格納され、常時選択的に取り出すことが可能とされる。
【０１１１】
図９に戻り、以上のステップＳＴ２３〜ＳＴ２６のライブビュー動作は、シャッターボタン１１が半押しされるまで（ステップＳＴ２７にてＮｏの間）繰り返される。このため、第１の実施の形態と同様に、ＬＶ用露出制御値、記録用露出制御値（あるいは再測光露出制御値）およびＡＦ用露出制御値は、被写体に応じて適切な値に更新されつつＲＡＭ３２に保持される。絞り値が「３」または「４」とされたＬＶ用露出制御値は、ライブビュー用の簡易画像データを取得する際における露出制御に即時的に反映される。また、再測光フラグも被写体に応じてＯＮ／ＯＦＦが切り替えられる。
【０１１２】
なお、撮影待機状態において、フォーカスモードボタン２０が操作された場合（ステップＳＴ３１にてＹｅｓ）は、フォーカスモードがマニュアルフォーカスに切り替えられる（ステップＳＴ３２）。そして、ステップＳＴ２２に戻り、以降、フォーカスモードがＭＦである場合の動作（図１０：ステップＳＴ４１以降）が行われる。
【０１１３】
このような撮影待機状態において、シャッターボタン１１が半押しされると（ステップＳＴ２７にてＹｅｓ）、第１の実施の形態と同様に、ＡＦ露出制御値に基づいて、フォーカスの評価値取得を目的とした簡易画像データを取得するための露出制御が行われ（ステップＳＴ２８）、ＡＦ制御部３２１によりオートフォーカスが行われる（ステップＳＴ２９）。
【０１１４】
このときＡＦ露出制御値の絞り値は「３」または「４」であり、一方、ＬＶ露出制御値の絞り値も「３」または「４」であることから、絞りの駆動はほぼ発生せず、絞りの駆動が発生したとしても１段のみの駆動となる。このため、ライブビュー動作からオートフォーカス動作に移行する際に、スムーズに動作を移行させることができ、結果としてオートフォーカス終了までの時間を短縮することができる。
【０１１５】
また、オートフォーカスが終了した後、シャッターボタン１１の操作が解除された場合（ステップＳＴ３０にてＮｏ）は、ステップＳＴ２２に戻り、再度、ライブビュー動作に移行するが、この移行の際においてもスムーズに動作を移行させることができる。
【０１１６】
オートフォーカスが終了した後、シャッターボタン１１が全押しされると（ステップＳＴ３０にてＹｅｓ）、記録用の画像データを取得する動作（図１１：ステップＳＴ５１以降）に移行する。
【０１１７】
まず、再測光フラグがＯＮとなっているか否かが判定される（ステップＳＴ５１）。再測光フラグがＯＮとなっている場合は、再測光露出制御値に基づいて露出制御が行われ（ステップＳＴ５２）、再測光を目的とした簡易画像データが取得される（ステップＳＴ５３）。そして、この簡易画像に基づいて主測光値ＢＶ１が取得され、この主測光値ＢＶ１に基づいて記録用露出制御値が導出される（ステップＳＴ５４）。
【０１１８】
このとき、再測光露出制御値の絞り値は「５」であるため、オートフォーカス時およびそれを考慮したライブビュー時の絞り値「３」または「４」よりも大きな値となり、絞りは絞り込まれる。すなわち、被写体の明るさに相当する主測光値ＢＶ１が第２基準値より高い場合、絞り値は、オートフォーカス時の値よりも大きな値に設定されることとなる。したがって、入射光量が抑制されて精度の高い主測光値ＢＶ１が取得されるため、適切な記録用露出制御値を導出することができる。
【０１１９】
記録用露出制御値が導出されると、ＣＣＤ２０１がフレームモードに設定され（ステップＳＴ５５）、記録用露出制御値に基づく露出制御が行われ（ステップＳＴ５６）、ＣＣＤ２０１にて記録用の画像データが取得され（ステップＳＴ５７）、所定の処理が行われた画像データがメモリカード９に記録される（ステップＳＴ５８）。その後、再度、ステップＳＴ１に戻り撮影待機状態に移行することとなる。
【０１２０】
なお、再測光フラグがＯＦＦの場合（ステップＳＴ５１にてＮｏ）は、記録用露出制御値は導出済であるため、上記ステップＳＴ５２〜ＳＴ５４の動作はなされず、そのままステップＳＴ５５〜ＳＴ５８の動作がなされることとなる。
【０１２１】
＜２−２．フォーカスモード…マニュアルフォーカス時＞
次に、フォーカスモードがマニュアルフォーカスである場合の動作（図１０）について説明する。まず、ライブビュー用の簡易画像データを取得するための露出制御がＬＶ露出制御値に基づいて行われ（ステップＳＴ４１）、ＣＣＤ２０１において簡易画像データが取得され（ステップＳＴ４２）、取得された簡易画像データからライブビュー画像が生成されて、表示部２２０に表示される（ステップＳＴ４４）。
【０１２２】
その一方で、取得された簡易画像データに基づいて露出制御値が求められることとなるが、フォーカスモードがＭＦである場合は、ＡＦ用露出制御値を導出する必要はない。このため、簡易画像データに基づいて主測光演算回路２２２により主測光値ＢＶ１のみが求められ、露出制御部３１０の主露出演算部３１１により、ＬＶ用露出制御値および記録用露出制御値のみが導出される（ステップＳＴ４３）。
【０１２３】
前述したようにフォーカスモードがＡＦである場合、ＬＶ用露出制御値の絞り値は、オートフォーカス動作への移行を考慮して開放側の値（「３」または「４」）に設定されていたが、フォーカスモードがＭＦである場合は、この絞り値を必ずしも開放側の値にする必要はない。
【０１２４】
このため、被写体の明るさに相当する主測光値ＢＶ１が所定の第２基準値より高い場合は、ライブビュー動作中にて精度の高い主測光値ＢＶ１を取得することができるように、ＬＶ露出制御値の絞り値を設定する。具体的には、フォーカスモードがＡＦである場合のＬＶ用露出制御値の絞り値よりも大きな値（「５」以上）に設定される。これにより、ライブビュー動作中に必ず記録用露出制御値を導出することができるため、記録用の画像データを取得する際に再測光をする必要はなくなることとなる。
【０１２５】
以上のステップＳＴ４１〜ＳＴ４４のライブビュー動作は、シャッターボタン１１が半押しされるまで（ステップＳＴ４７にてＮｏの間）繰り返される。このライブビュー動作中において、フォーカスリング３３が操作されると（ステップＳＴ４５）、ＭＦ制御部３２２によりレンズ群が駆動される（ステップＳＴ４６）。
【０１２６】
また、撮影待機状態において、フォーカスモードボタン２０が操作された場合（ステップＳＴ４８にてＹｅｓ）は、フォーカスモードがオートフォーカスに切り替えられる（ステップＳＴ４９）。そして、ステップＳＴ２２に戻り、以降、フォーカスモードがＡＦである場合の動作（図９：ステップＳＴ２３以降）が行われる。
【０１２７】
このような撮影待機状態において、シャッターボタン１１が半押しされると（ステップＳＴ４７にてＹｅｓ）、フォーカスモードはＭＦであるためオートフォーカスは行われず、そのままシャッターボタン１１が全押しされたか否かが判定される（ステップＳＴ５０）。そして、シャッターボタン１１の操作が解除された場合は、再度、ライブビュー動作に移行し、一方、シャッターボタン１１が全押しされた場合は、記録用の画像データを取得する動作（図１１：ステップＳＴ５１以降）に移行する。なお、この記録用の画像データを取得する動作は、前述した通りであるが、記録用露出制御値は導出済であるため、再測光（ステップＳＴ５２〜ＳＴ５４）が行われることはない。
【０１２８】
以上、第２の実施の形態について説明を行ったが、本実施の形態のデジタルカメラ１においては、フォーカスモードがＡＦであるときと、ＭＦであるときとでライブビュー動作時等の絞り値の設定手法を相違させるため、ＡＦおよびＭＦのそれぞれに対して最適な絞り値を設定することができる。
【０１２９】
すなわち、フォーカスモードがＡＦの場合は、ライブビュー動作時およびオートフォーカス時の絞り値は開放側の値にするため、ライブビュー動作からオートフォーカス動作に迅速に移行させることができるとともに、オートフォーカスの精度を向上させることができる。また、被写体の明るさが比較的高い場合は、オートフォーカス後において、絞り値を比較的大きな値に設定して再測光するため、記録用露出制御値を決定するための主測光値ＢＶ１の精度を向上させることができる。
【０１３０】
一方、フォーカスモードがＭＦの場合は、ライブビュー動作時の絞り値を比較的大きな値とすることで、記録用露出制御値を決定するための主測光値ＢＶ１の精度を向上させることができる。その結果、再測光する必要はなくなり、ライブビュー動作から記録用の画像データを取得する動作へ迅速に移行させることができる。
【０１３１】
＜３．第３の実施の形態＞
次に、本発明の第３の実施の形態について説明する。本実施の形態に係るデジタルカメラ１の構成は図１ないし図３に示すものと同様であり、内部構成は図４に示すものと同様である。また、本実施の形態のデジタルカメラ１の撮影モードの動作は図９ないし図１１に示すものとほぼ同様であるが、図１０のステップＳＴ４３の処理が相違する。
【０１３２】
図１３は、本実施の形態のデジタルカメラ１のステップＳＴ４３の処理、すなわち、フォーカスモードがＭＦの場合における露出制御値を導出する処理の流れを示す図である。
【０１３３】
本実施の形態においては、まず、ＬＶ露出制御の絞り値が開放値「３」に設定され、さらに、この絞り値「３」に合わせてＬＶ露出制御値のシャッタースピードが導出される（ステップＳＴ１２１）。つまり、本実施の形態のデジタルカメラ１においては、ＬＶ露出制御値の絞り値は開放値（本実施の形態では「３」）に固定される。
【０１３４】
ＬＶ露出制御値の絞り値を開放値に固定すると、ライブビュー動作時に取得される主測光値ＢＶ１の精度が低下する可能性がある。このため、ＬＶ露出制御値が導出されると、図１２のステップＳＴ１０４〜ＳＴ１０８と同様にして、ステップＳＴ１２２〜ＳＴ１２６の動作が行われ、主露出演算部３１１により記録用露出制御値あるいは再測光露出制御値が導出される。
【０１３５】
マニュアルフォーカスを行う際（図１０：ステップＳＴ４５，ＳＴ４６）においては、ユーザは表示部２２０に表示されているライブビュー画像を参照しつつフォーカスリング３３を操作し、ライブビュー画像中の所望の被写体像を合焦状態とさせる。このとき、本実施の形態のように絞り値を開放値に固定し、被写界深度を浅くすることで、ライブビュー画像中の合焦状態となる箇所が制限されることから、所望の被写体像に対して合焦させることが容易となる。
【０１３６】
なお、第２の実施の形態においてフォーカスモードがＭＦの場合は、記録用の画像データを取得する動作中に再測光が行われることはなかったが、本実施の形態においては再測光フラグがＯＮとなる場合は再測光が行われる。
【０１３７】
＜４．第４の実施の形態＞
次に、本発明の第４の実施の形態について説明する。本実施の形態のデジタルカメラ１は、画像データ中の合焦対象領域、すなわち、フォーカスエリアをユーザに指定させる機能を備えている。
【０１３８】
図１４は、本実施の形態のデジタルカメラ１の要部構成を示す図であり、デジタルカメラ１の背面図に相当する。デジタルカメラ１の他の構成は図１および図２に示すものと同様であり、内部構成は図４に示すものと同様である。
【０１３９】
本実施の形態のデジタルカメラ１では、フォーカスモードがＡＦに設定されている場合、撮影待機状態においてフォーカスエリアの中央位置を示すカーソルＣＲが表示部２２０に表示される。このカーソルＣＲは、十字キー１９の操作入力により任意の位置に移動させることができ、ユーザは表示部２２０に表示されたライブビュー画像中の所望の位置にカーソルＣＲを移動させて合焦を所望する被写体像を指定する。
【０１４０】
また、本実施の形態のデジタルカメラ１では、フォーカスモードのＭＦからＡＦへの切り替えは、上記実施の形態と同様にフォーカスモードボタン２０を押下することによって行われるが、フォーカスモードのＡＦからＭＦへの切り替えは、フォーカスリング３３を操作することにより切り替えられるようになっている。
【０１４１】
図１５は、本実施の形態のＡＦ評価値演算回路２２１、主測光演算回路２２２およびＡＦ用測光演算回路２２３が演算対象とする領域を説明するための図である。
【０１４２】
図に示すように、ＣＣＤ２０１で取得される画像データ７１ａにおいては、表示部２２０の画面上のカーソルＣＲ位置に相当する位置がフォーカスポイントＦＦＰとされ、このフォーカスポイントＦＦＰを中心とする所定サイズの領域がフォーカスエリアＦＦＡとされる。
【０１４３】
デジタルカメラ１の起動時においては、フォーカスポイントＦＦＰとフォーカスエリアＦＦＡとは、画像データの中央部の基準位置（図１５中において、それぞれ符号ＦＦＰ０および符号ＦＦＡ０で示す位置）に配置される。そして、表示部２２０の画面においてカーソルＣＲが移動されると、このカーソルＣＲの移動に伴って、フォーカスポイントＦＦＰおよびフォーカスエリアＦＦＡも移動される。例えば、図１５は、フォーカスポイントＦＦＰおよびフォーカスエリアＦＦＡが、基準位置ＦＦＰ０およびＦＦＡ０から、それぞれ符号ＦＦＰ１および符号ＦＦＡ１で示す位置に移動された様子を示している。
【０１４４】
本実施の形態の演算領域抽出回路２０８は、ＣＣＤ２０１から出力される簡易画像データ７１ｂ中から、指定されたフォーカスエリアに相当する横６４０×縦８０の画素の領域ＦＦＡ３を抽出する。そして、この領域ＦＦＡ３のみの画像データ７１ｄが、ＡＦ評価値演算回路２２１およびＡＦ用測光演算回路２２３にそれぞれ出力される。
【０１４５】
これにより、指定されたフォーカスエリアに相当する領域からフォーカスの評価値が求められ、このフォーカスの評価値に基づいてレンズ群が駆動されるため、画像データ中の指定されたフォーカスエリアが合焦状態となる。また、指定されたフォーカスエリアに相当する領域からＡＦ用測光値ＢＶ２が求められ、さらに、このＡＦ用測光値ＢＶ２に基づいてＡＦ用露出制御値が求められるため、オートフォーカス時において適切なフォーカスの評価値を取得することができる。
【０１４６】
また、演算領域抽出回路２０８は、簡易画像データ７１ｂから主測光演算回路２２２が演算対象とする横３２０×縦２４０の画素の画像データ７１ｃを生成し、主測光演算回路２２２に出力する。
【０１４７】
主測光演算回路２２２は、上記実施の形態と同様に、この画像データ７１ｃを縦５×横５のブロックに分割し、分割された各ブロックに対し加重係数（Ｋ１，Ｋ２，Ｋ３：Ｋ１＞Ｋ２＞Ｋ３）を設定する。このとき、画像データ７１ａ中においてフォーカスポイントＦＦＰがある位置は、主被写体像が存在する位置に相当する。このため、分割された各ブロックのうち最大の加重係数Ｋ１を設定する露出注目領域としては、フォーカスポイントＦＦＰに相当する位置が含まれるブロック（図１５においてはブロックＢＬ１）が選択される。すなわち、画像データ７１ｃ中のフォーカスエリアに対応する領域が露出注目領域とされる。
【０１４８】
露出注目領域が選択されると、主測光演算回路２２２は、上記実施の形態と同様に、露出注目領域に最大の加重係数Ｋ１を設定し、露出注目領域の周辺ブロックに加重係数Ｋ２を設定し、さらに、その他のブロックに最小の加重係数Ｋ３を設定する。そして、同一の加重係数が設定されたブロックを同一のグループとして、グループごとに画素の輝度値の平均値を算出し、算出した輝度値の平均値と、設定した加重係数とを用いて加重平均を行い、その演算結果を主測光値とする。
【０１４９】
なお、フォーカスエリアＦＦＡが基準位置ＦＦＡ０にある場合は、露出注目領域として画像データ７１ｃ中の中央ブロックＢＬ０が選択される。このため、この中央ブロックＢＬ０の位置は露出注目領域の基準位置とされる。
【０１５０】
次に、本実施の形態のデジタルカメラ１の動作について説明する。図１６および図１７は本実施の形態のデジタルカメラ１の撮影モードにおける動作の流れを示す図である。
【０１５１】
まず、ＣＣＤ２０１がドラフトモードに設定され（ステップＳＴ６１）、続いて、フォーカスモードがＡＦであるかＭＦであるかが判定される（ステップＳＴ６２）。
【０１５２】
フォーカスモードがＡＦである場合は、図９のステップＳＴ２３〜ステップＳＴ２６と同様にして、ライブビュー用の露出制御、簡易画像データの取得、各露出制御値導出およびライブビュー画像の表示が行われる（ステップＳＴ６３）。ただし、前述したように主測光値ＢＶ１を求めるときの露出注目領域はフォーカスエリアに対応する領域であり、ＡＦ用測光値ＢＶ２を求めるための領域は、フォーカスエリアに相当する領域である。
【０１５３】
このようなライブビュー動作は、シャッターボタン１１が半押しされるまで（ステップＳＴ６６にてＮｏの間）繰り返されるが、このライブビュー動作時において、十字キー１９が操作される（ステップＳＴ６４）と操作内容がＡＦ制御部３２１により受け付けられ、表示部２２０の画面上のカーソルＣＲ位置が移動される。これに伴い、フォーカスポイントおよびフォーカスエリアも移動されることとなる（ステップＳＴ６５）。このようなフォーカスエリアの移動は、ライブビュー動作時に即時に反映され、主測光値ＢＶ１を求めるときの露出注目領域およびＡＦ用測光値ＢＶ２を求めるための領域も変更される。
【０１５４】
撮影待機状態において、シャッターボタン１１が半押しされると（ステップＳＴ６６にてＹｅｓ）、続いて、ＡＦ露出制御値に基づいて露出制御が行われ（ステップＳＴ６７）、オートフォーカスが行われる（ステップＳＴ６８）。そして、シャッターボタン１１が全押しされる（ステップＳＴ６９）と、以降、図１１と同様の記録用の画像データの取得動作が行われることとなる。
【０１５５】
また、上記のようにフォーカスモードがＡＦである場合の撮影待機状態時において、フォーカスリング３３が操作される（ステップＳＴ７０）と、フォーカスモードがマニュアルフォーカスに切り替えられる（ステップＳＴ７１）。
【０１５６】
このようにフォーカスモードがＡＦからＭＦに切り替えられるときは、オートフォーカスによってレンズ群の位置が正確に定まらず、マニュアルフォーカスでレンズ群の位置を微調整するといった場面が多い。このため、フレーミング（画像データ中の主被写体像の位置）は変更されていない場合が多く、主被写体像の位置に合わせてフォーカスエリアが移動されていた場合は、そのフォーカスエリアの位置（すなわち、露出注目領域の位置）に依然、主被写体像が存在している可能性が高い。
【０１５７】
また、主測光値ＢＶ１は主被写体像の位置から取得することが好ましい。このため、本実施の形態のデジタルカメラ１は、このようにフォーカスモードがＡＦからＭＦに切り替えられるとき、主測光値ＢＶ１を求めるための露出注目領域の位置を基準位置に戻さずそのまま保持するようにしている。
【０１５８】
続いて、フォーカスモードのＭＦへの変更後からの、フォーカスリング３３に入力されたレンズ群の駆動量を示す値（以下、「変更後駆動量」という。）が初期化される（ステップＳＴ７２）。そして、ステップＳＴ６２に戻り、以降、フォーカスモードがＭＦである場合の動作（図１７：ステップＳＴ８１以降）が行われる。
【０１５９】
フォーカスモードがＭＦである場合は、図１０のステップＳＴ４１〜ＳＴ４４と同様にして、ライブビュー用の露出制御、簡易画像データの取得、各露出制御値導出およびライブビュー画像の表示が行われる（ステップＳＴ８１）。ただし、フォーカスモードがＡＦからＭＦに切り替えられた場合においては、主測光値ＢＶ１を求めるときの露出注目領域の位置は、フォーカスモード切替時に保持された位置となる。
【０１６０】
このようなライブビュー動作は、シャッターボタン１１が半押しされるまで（ステップＳＴ８７にてＮｏの間）繰り返されるが、このライブビュー動作中において、フォーカスリング３３が操作されると（ステップＳＴ８２）、フォーカスリング３３により入力された駆動量に応じてレンズ群が駆動される（ステップＳＴ８３）。
【０１６１】
このとき、フォーカスモードのＡＦからＭＦへの変更により露出注目領域の位置が保持されて基準位置でない場合（ステップＳＴ８４にてＹｅｓ）は、変更後駆動量が所定の基準量を超えたか否かが判定される（ステップＳＴ８５）。
【０１６２】
変更後駆動量が所定の基準量以下である場合（ステップＳＴ８５にてＮｏ）は、レンズ群の位置の微調整のための操作であり主被写体像の位置は変更されていないと想定されるため、露出注目領域の位置は保持されたままとなる。
【０１６３】
一方、変更後駆動量が所定の基準量を超えた場合は、主被写体像の位置が変更されたことが想定されるため、主被写体像が存在する可能性の高い基準位置に露出注目領域の位置が戻されることとなる（ステップＳＴ８６）。
【０１６４】
撮影待機状態において、シャッターボタン１１が半押しされると（ステップＳＴ８７）、シャッターボタン１１が全押しされたか否かが判定され（ステップＳＴ８８）、全押しされた場合は、以降、図１１と同様の記録用の画像データの取得動作が行われることとなる。
【０１６５】
また、撮影待機状態において、フォーカスモードボタン２０が操作された場合（ステップＳＴ８９にてＹｅｓ）は、フォーカスモードがオートフォーカスに切り替えられる（ステップＳＴ９０）。そして、フォーカスエリアを基準位置にして（ステップＳＴ９１）、ステップＳＴ６２に戻り、以降、フォーカスモードがＡＦである場合の動作（図１６：ステップＳＴ６３以降）が行われる。
【０１６６】
以上、第４の実施の形態について説明を行ったが、本実施の形態のデジタルカメラ１では、フォーカスモードがＡＦからＭＦに切り替えられる際は、露出注目領域の位置が保持される。このため、レンズ群の微調整などを行う際においても、適切な主被写体像から主測光値ＢＶ１を求め、主被写体に合わせた露出制御を行うことができることとなる。
【０１６７】
＜５．第５の実施の形態＞
次に、本発明の第５の実施の形態について説明する。上記第４の実施の形態においては、フォーカスリング３３で入力された駆動量が所定の基準量を超えた場合に露出注目領域を基準位置に戻すようにしていたが、本実施の形態のデジタルカメラ１では、フォーカスモードがＡＦからＭＦに変更された後、所定時間が経過すると、露出注目領域を基準位置に戻すようにしている。
【０１６８】
本実施の形態のデジタルカメラ１の構成は図１、図３および図１４に示すものと同様であり、内部構成は図４に示すものと同様である。
【０１６９】
図１８および図１９は、本実施の形態のデジタルカメラ１の撮影モードにおける動作の流れを示す図である。本実施の形態のデジタルカメラ１の撮影モードの動作は図１６および図１７に示すものとほぼ同様であるため、同様の動作については同一の符号を付し詳細な説明は省略する。
【０１７０】
フォーカスモードがＡＦである場合の撮影待機状態時において、フォーカスリング３３が操作される（ステップＳＴ７０）と、露出注目領域の位置は保持された状態で、フォーカスモードがマニュアルフォーカスに切り替えられる（ステップＳＴ７１）。
【０１７１】
続いて、フォーカスモードがＡＦからＭＦに切り替えられた後の経過時間を監視するため、タイマ２１９により計時が開始される（ステップＳＴ７２１）。そして、以降、ステップＳＴ６２に戻り、フォーカスモードがＭＦである場合の動作が行われる。
【０１７２】
フォーカスモードがＭＦである場合は、撮影待機状態において、フォーカスリング３３の操作が行われたか否かにかかわらず（図１９：ステップＳＴ８２１）、露出注目領域の位置が基準位置から移動されているか否かが判定される（ステップＳＴ８４１）。
【０１７３】
露出注目領域が基準位置でない場合は、タイマ２１９にて計時されている経過時間が所定の基準時間を超えたか否かが判定される（ステップＳＴ８５１）。そして、経過時間が所定の基準時間を超えた場合は、主被写体像の位置が変更されたことが想定されるため、主被写体像が存在する可能性の高い基準位置に露出注目領域の位置が戻されることとなる（ステップＳＴ８６）。
【０１７４】
＜６．変形例＞
以上、本発明の実施の形態について説明してきたが、この発明は上記実施の形態に限定されるものではなく様々な変形が可能である。
【０１７５】
例えば、上記実施の形態のデジタルカメラ１では、ＡＦ用露出制御値をフォーカスエリア（正確には、フォーカスエリアに相当する領域）のみから求めるようにしていたが、フォーカスエリアの周辺領域の明るさも考慮して求めるようにしてもよい。この場合は、例えば、フォーカスエリアに最大の加重係数を設定して加重平均を行うようにする。このようにしても、適切なＡＦ用露出制御値を得ることができる。
【０１７６】
また、上記実施の形態のデジタルカメラ１は、撮影待機状態において、記録用露出制御値とＡＦ用露出制御値とを取得するようになっていたが、このような手法を、露出制御値を固定するＡＥロック機能を備えるデジタルカメラに適用することも可能である。
【０１７７】
ＡＥロック機能を備えるデジタルカメラにおいては、ＡＥロックの指示がない場合は、上記実施の形態と同様に記録用露出制御値およびＡＦ用露出制御値の双方を更新させ、ＡＥロックの指示後は記録用露出制御値の更新を止めＡＦ用露出制御値のみ更新させる。これにより、ＡＥロックの指示があった場合であっても、オートフォーカス時に適切なフォーカスの評価値を得ることができる。
【０１７８】
また、このようなＡＥロック機能を備えるデジタルカメラが、プリ発光方式にてフラッシュ発光量を設定する場合は、ＡＥロックの指示後１回目の撮影時にプリ発光を行ってフラッシュの発光量を求め、求められた発光量を内部のＲＡＭなどに記憶しておく。そして、２回目以降の撮影時においては、フラッシュの発光量を求められた発光量に設定し、プリ発光を行わないようにする。これにより、省電力と撮影の高速化を図ることができる。
【０１７９】
◎なお、上述した具体的実施の形態には以下の構成を有する発明が含まれている。
【０１８０】
（１）  請求項２に記載のデジタルカメラにおいて、
前記露出制御手段は、前記デジタルカメラの動作状態に応じて、前記フォーカス用露出制御値および前記記録用露出制御値のうちから露出制御に用いる露出制御値を選択することを特徴とするデジタルカメラ。
【０１８１】
これによれば、デジタルカメラの動作状態に応じて露出制御値を選択的に用いるため、動作状態に適した露光状態の画像データを取得することができる。
【０１８２】
（２）  請求項４に記載のデジタルカメラにおいて、
前記フォーカス制御手段がマニュアルフォーカス制御を行うときに、前記絞り値設定手段が設定する絞り値は、前記フォーカス制御手段がオートフォーカス制御を行う際に設定する絞り値以上の値であることを特徴とするデジタルカメラ。
【０１８３】
これによれば、オートフォーカス制御のときは絞り値を比較的小さな値に設定することで被写界深度が浅くなって合焦精度が向上する。一方で、マニュアルフォーカス制御のときは絞り値を比較的大きな値とすることで、測光精度が向上し撮影速度が向上する。
【０１８４】
（３）  請求項４に記載のデジタルカメラにおいて、
前記フォーカス制御手段がマニュアルフォーカス制御を行うときに、前記絞り値設定手段が設定する絞り値は、開放値であることを特徴とするデジタルカメラ。
【０１８５】
これによれば、マニュアルフォーカス制御のときに絞り値を開放値とすることで、被写界深度が浅くなり合焦させやすくなり、操作性が向上する。
【０１８６】
（４）  光学系を介して被写体の画像データを取得する撮像手段を有するデジタルカメラであって、
撮影待機状態において前記撮像手段により取得される画像データを表示可能な表示手段と、
前記表示手段の画面において合焦対象領域の位置の指定を受け付ける指定手段と、
前記撮像手段により取得される画像データ中の前記合焦対象領域が合焦状態となるように前記光学系を駆動させるオートフォーカス制御と、駆動量入力手段により入力される駆動量に基づいて前記光学系を駆動させるマニュアルフォーカス制御との間でフォーカス制御手法を切り替え可能なフォーカス制御手段と、
撮影待機状態において前記撮像手段により取得される画像データ中の所定の露出注目領域を最大比重領域として、該画像データから露出制御値を導出する露出演算手段と、
を備え、
前記露出演算手段は、
前記フォーカス制御手段のフォーカス制御手法がオートフォーカス制御のときは、前記画像データ中の前記合焦対象領域に対応する領域を前記露出注目領域とし、かつ、
前記フォーカス制御手段が前記フォーカス制御手法をオートフォーカス制御からマニュアルフォーカス制御に切り替える際は、前記露出注目領域の位置を保持することを特徴とするデジタルカメラ。
【０１８７】
これによれば、オートフォーカス制御からマニュアルフォーカス制御に切り替えられた際の直後においては、主被写体は指定手段により指定された合焦対象領域近傍に存在すると想定される。このため、露出制御値を導出するための露出注目領域の位置を保持することにより、主被写体に適した露出制御値を導出することができる。
【０１８８】
（５）  上記（４）に記載のデジタルカメラにおいて、
前記フォーカス制御手段は、前記駆動量入力手段により入力が行われた際に、前記フォーカス制御手法をオートフォーカス制御からマニュアルフォーカス制御に切り替えるものであり、
前記露出演算手段は、前記駆動量入力手段により入力された駆動量が所定の基準量を超えた場合、前記露出注目領域の位置を所定の基準位置に戻すことを特徴とするデジタルカメラ。
【０１８９】
これによれば、前記駆動量入力手段により入力された駆動量が所定の基準量を超えた場合は、主被写体の位置が移動したと想定される。このため、露出制御値を導出するための注目領域を所定の基準位置に戻すことにより、主被写体に適した露出制御値を導出することができる。
【０１９０】
（６）  上記（４）に記載のデジタルカメラにおいて、
前記露出演算手段は、前記フォーカス制御手段が前記フォーカス制御手法をオートフォーカス制御からマニュアルフォーカス制御に切り替えた時点からの経過時間が所定の基準時間を超えた場合、前記露出注目領域の位置を所定の基準位置に戻すことを特徴とするデジタルカメラ。
【０１９１】
これによれば、オートフォーカス制御からマニュアルフォーカス制御に切り替えた時点からの経過時間が所定の基準時間を超えた場合は、主被写体の位置が移動したと想定される。このため、露出制御値を導出するための注目領域を所定の基準位置に戻すことにより、主被写体に適した露出制御値を導出することができる。
【図面の簡単な説明】
【０１９２】
【図１】本発明の実施の形態に係るデジタルカメラの要部構成を示す正面図である。
【図２】デジタルカメラの要部構成を示す上面図である。
【図３】デジタルカメラの要部構成を示す背面図である。
【図４】デジタルカメラの主たる内部構成を機能ブロックとして示す図である。
【図５】ＣＣＤの電荷蓄積時間を説明するための図である。
【図６】主測光演算回路が演算対象とする画像データ中の領域を説明するための図である。
【図７】ＡＦ評価値演算回路が演算対象とする画像データ中の領域を説明するための図である。
【図８】第１の実施の形態のデジタルカメラの撮影モードの動作の流れを示す図である。
【図９】第２の実施の形態のデジタルカメラの撮影モードの動作の流れを示す図である。
【図１０】第２の実施の形態のデジタルカメラの撮影モードの動作の流れを示す図である。
【図１１】第２の実施の形態のデジタルカメラの撮影モードの動作の流れを示す図である。
【図１２】第２の実施の形態におけるフォーカスモードがＡＦの場合の露出制御値を導出する処理の流れを示す図である。
【図１３】第３の実施の形態におけるフォーカスモードがＭＦの場合の露出制御値を導出する処理の流れを示す図である。
【図１４】第４の実施の形態のデジタルカメラの要部構成を示す背面図である。
【図１５】第４の実施の形態のデジタルカメラの主測光演算回路等が演算対象とする領域を説明するための図である。
【図１６】第４の実施の形態のデジタルカメラの撮影モードにおける動作の流れを示す図である。
【図１７】第４の実施の形態のデジタルカメラの撮影モードにおける動作の流れを示す図である。
【図１８】第５の実施の形態のデジタルカメラの撮影モードにおける動作の流れを示す図である。
【図１９】第５の実施の形態のデジタルカメラの撮影モードにおける動作の流れを示す図である。
【符号の説明】
【０１９３】
１      デジタルカメラ
２      カメラ本体部
３      撮影レンズ
１１      シャッターボタン
１９      十字キー
２０      フォーカスモードボタン
３３      フォーカスリング
３１０      露出制御部
３２０      フォーカス制御部
【図１】
2005037963.tif 000003
【図２】
2005037963.tif 000004
【図３】
2005037963.tif 000005
【図４】
2005037963.tif 000006
【図５】
2005037963.tif 000007
【図６】
2005037963.tif 000008
【図７】
2005037963.tif 000009
【図８】
2005037963.tif 000010
【図９】
2005037963.tif 000011
【図１０】
2005037963.tif 000012
【図１１】
2005037963.tif 000013
【図１２】
2005037963.tif 000014
【図１３】
2005037963.tif 000015
【図１４】
2005037963.tif 000016
【図１５】
2005037963.tif 000017
【図１６】
2005037963.tif 000018
【図１７】
2005037963.tif 000019
【図１８】
2005037963.tif 000020
【図１９】
2005037963.tif 000021
【手続補正書】
【提出日】平成16年10月5日(2004.10.5)
【手続補正１】
【補正対象書類名】特許請求の範囲
【補正対象項目名】全文
【補正方法】変更
【補正の内容】
【特許請求の範囲】
【請求項１】
光学系を介して被写体の画像データを取得する撮像手段を有するデジタルカメラであって、
前記光学系のオートフォーカス制御を行うフォーカス制御手段と、
撮影待機状態において前記撮像手段により取得される画像データから前記被写体の明るさを求める測光手段と、
前記被写体の明るさに基づいて、前記光学系の絞り値を設定する絞り値設定手段と、
を備え、
前記被写体の明るさが所定の基準値よりも高い場合、
前記フォーカス制御手段がオートフォーカス制御を行った後、
前記絞り値設定手段は前記光学系の絞り値を、オートフォーカス制御を行う際における値よりも大きな値に設定し、
前記測光手段は前記被写体の明るさを求めることを特徴とするデジタルカメラ。
【請求項２】
光学系を介して被写体の画像データを取得する撮像手段を有するデジタルカメラであって、
前記撮像手段により取得される画像データが合焦状態となるように前記光学系の駆動を行うオートフォーカス制御と、操作入力に基づいて前記光学系の駆動を行うマニュアルフォーカス制御との間でフォーカス制御手法を切り替え可能なフォーカス制御手段と、
前記撮像手段により取得される画像データから、前記被写体の明るさを求める測光手段と、
前記被写体の明るさに基づいて、前記光学系の絞り値を設定する絞り値設定手段と、
を備え、
前記被写体の明るさが所定の基準値よりも高い場合、
前記絞り値設定手段は、前記フォーカス制御手段のフォーカス制御手法がオートフォーカス制御のときと、マニュアルフォーカス制御のときとで、前記光学系の絞り値を相違させて設定することを特徴とするデジタルカメラ。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
上記課題を解決するため、請求項１の発明は、光学系を介して被写体の画像データを取得する撮像手段を有するデジタルカメラであって、前記光学系のオートフォーカス制御を行うフォーカス制御手段と、撮影待機状態において前記撮像手段により取得される画像データから前記被写体の明るさを求める測光手段と、前記被写体の明るさに基づいて、前記光学系の絞り値を設定する絞り値設定手段と、を備え、前記被写体の明るさが所定の基準値よりも高い場合、前記フォーカス制御手段がオートフォーカス制御を行った後、前記絞り値設定手段は前記光学系の絞り値を、オートフォーカス制御を行う際における値よりも大きな値に設定し、前記測光手段は前記被写体の明るさを求めることを特徴とする。
【手続補正６】
【補正対象書類名】明細書
【補正対象項目名】００１１
【補正方法】変更
【補正の内容】
【００１１】
また、請求項２の発明は、光学系を介して被写体の画像データを取得する撮像手段を有するデジタルカメラであって、前記撮像手段により取得される画像データが合焦状態となるように前記光学系の駆動を行うオートフォーカス制御と、操作入力に基づいて前記光学系の駆動を行うマニュアルフォーカス制御との間でフォーカス制御手法を切り替え可能なフォーカス制御手段と、前記撮像手段により取得される画像データから、前記被写体の明るさを求める測光手段と、前記被写体の明るさに基づいて、前記光学系の絞り値を設定する絞り値設定手段と、を備え、前記被写体の明るさが所定の基準値よりも高い場合、前記絞り値設定手段は、前記フォーカス制御手段のフォーカス制御手法がオートフォーカス制御のときと、マニュアルフォーカス制御のときとで、前記光学系の絞り値を相違させて設定することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項１の発明によれば、絞り値をオートフォーカス制御のときよりも比較的大きな値に設定して、被写体の明るさを求めることにより高精度に被写体の明るさを求めることができる。
【手続補正１１】
【補正対象書類名】明細書
【補正対象項目名】００１６
【補正方法】変更
【補正の内容】
【００１６】
また、請求項２の発明によれば、オートフォーカス制御のときと、マニュアルフォーカス制御のときとの双方において、絞り値をそれぞれに適切な値にすることができる。
【手続補正１２】
【補正対象書類名】明細書
【補正対象項目名】０１７９
【補正方法】削除
【補正の内容】
【手続補正１３】
【補正対象書類名】明細書
【補正対象項目名】０１８０
【補正方法】削除
【補正の内容】
【手続補正１４】
【補正対象書類名】明細書
【補正対象項目名】０１８１
【補正方法】削除
【補正の内容】
【手続補正１５】
【補正対象書類名】明細書
【補正対象項目名】０１８２
【補正方法】削除
【補正の内容】
【手続補正１６】
【補正対象書類名】明細書
【補正対象項目名】０１８３
【補正方法】削除
【補正の内容】
【手続補正１７】
【補正対象書類名】明細書
【補正対象項目名】０１８４
【補正方法】削除
【補正の内容】
【手続補正１８】
【補正対象書類名】明細書
【補正対象項目名】０１８５
【補正方法】削除
【補正の内容】
【手続補正１９】
【補正対象書類名】明細書
【補正対象項目名】０１８６
【補正方法】削除
【補正の内容】
【手続補正２０】
【補正対象書類名】明細書
【補正対象項目名】０１８７
【補正方法】削除
【補正の内容】
【手続補正２１】
【補正対象書類名】明細書
【補正対象項目名】０１８８
【補正方法】削除
【補正の内容】
【手続補正２２】
【補正対象書類名】明細書
【補正対象項目名】０１８９
【補正方法】削除
【補正の内容】
【手続補正２３】
【補正対象書類名】明細書
【補正対象項目名】０１９０
【補正方法】削除
【補正の内容】
【手続補正２４】
【補正対象書類名】明細書
【補正対象項目名】０１９１
【補正方法】削除
【補正の内容】